(57)【要約】定規本体の一つ以上の部分が下の層から一定距離で又は下の層と接触して配置されうる断面又は断面形状を有する長い定規本体（４）を有する、特に机用の製図定規などの定規（２）が開示されている。この定規（２）は、その材料及び／又は断面形状により、一定の弾性を有し、定規本体の一つ以上の部分は、定規が下の層に関して固定されるように定規本体（２）の圧縮変形で下の層と摩擦係合するのに適した滑り止め手段（２０）を備えている。これにより、単に定規本体の圧縮変形によって、簡単な手段及び処置で容易かつ有効に、下の層に関して固定されうる定規が実現される。
2005516806.tif 000002
【特許請求の範囲】
【請求項１】
定規本体の一つ以上の部分が下の層から一定距離で又は下の層と接触して配置されうる断面又は断面形状を有する長い本体を有し、かつ定規の材料及び／又は前記断面形状により、一定の弾性を有する、特に机用の製図定規などの定規において、
前記定規本体の前記一つ以上の部分は、前記定規が下の層に関して固定されるように前記定規本体の圧縮変形で前記下の層と摩擦係合するのに適した滑り止め手段を備えていることを特徴とする特に机用の製図定規などの定規。
【請求項２】
前記滑り止め手段は、好ましくは前記定規本体の中央の前記一つ以上の部分の上側面及び下側面の両方に設けられている比較的に軟らかい摩擦材で構成されており、それは、成形によって前記定規と一体にされていることを特徴とする請求項１に記載の定規。
【請求項３】
前記摩擦材のいくつかの部分が、前記定規本体の前記中央の一つ以上の部分内の穴又は凹所を通って延びていることを特徴とする請求項２に記載の定規。
【請求項４】
前記滑り止め手段は、前記定規本体の上側面及び下側面の両方に設けられている比較的に軟らかい材料で構成されており、この材料は、前記摩擦材の複数の突出部分を前記定規本体の前記一つ以上の部分内の複数の穴又は凹所を通して押圧することによって前記定規に固定されることを特徴とする請求項１に記載の定規。
【請求項５】
前記滑り止め手段は、前記定規本体の前記一つ以上の部分の下側面のみに比較的に軟らかい材料で構成されており、この材料は、適切に前記定規へ固定されていることを特徴とする請求項１に記載の定規。
【請求項６】
前記滑り止め手段は、ほぼ三角形断面と、その底部に向けて、丸まった傾斜した端部とを有するストリップによって構成されており、このストリップは、前記定規本体の前記一つ以上の部分の下側面において、前記定規本体のほぼ全体に沿って延びていることを特徴とする請求項１、２、３及び５の中の１項に記載の定規。
【請求項７】
前記定規本体は、使用状況において前記定規の能動的な製図縁及び／又は切断縁及び／又は測定縁を構成している、長手軸線方向側縁から延びており、前記定規本体は、第二長手軸線方向側縁に向けて、わずかに傾斜した軌道を有し、すなわち、前記定規本体の下面と下の層との間の距離が増加しており、前記定規は、前記第二長手軸線方向側縁の近傍において、前記定規本体の一体部分を構成している長手軸線方向支持ストリップを有し、前記滑り止め手段は、２つの前記長手軸線方向側縁のほぼ中間に設けられていることを特徴とする請求項１又は６のいずれか１項に記載の定規。
【請求項８】
前記定規本体の弾性は、材料の選択に加えて、材料厚さ、及び／又は、前記定規本体の中央部内の複数の穴又は凹所の数又は寸法によって決定されることを特徴とする請求項１に記載の定規。
【請求項９】
前記定規本体の弾性は、さらに、好ましくは、前記定規本体の中央部内の前記穴又は凹所の反対において、前記材料が局地的に厚さが薄いことによって決定されることを特徴とする請求項８に記載の定規。
【請求項１０】
前記滑り止め手段は、指先を受け入れるのに適した多数の穴又は凹所によって構成されており、指先の腹は、前記定規の前記圧縮変形によって、前記下の層と摩擦係合することを特徴とする請求項１に記載の定規。
【請求項１１】
前記滑り止め手段は、前記定規本体の好ましくは中央部の下側面上において設けられている粗い及び／又は溝付き表面によって構成されていることを特徴とする請求項１に記載の定規。
【請求項１２】
定規本体の一つ以上の中央部分が、下の層から一定距離離れて又は下の層と接触して配置される、横断面又は横断形状及び長手断面又は長手軸線方向形状を有する長い本体を有し、前記定規は、その材料及び／又は前記横断形状及び長手軸線方向形状により、一定の弾性を有する、特にボード用の定規において、
前記定規本体の前記一つ以上の部分は、前記定規が前記下の層に関して固定されるように、前記定規の圧縮変形によって、前記下の層と摩擦係合を形成するのに適している滑り止め手段を備えている、特にボード用の定規。
【発明の詳細な説明】
【技術分野】
【０００１】
本発明は、特に、請求項１の前文に記載されたタイプの製図用定規などの定規に関する。
【背景技術】
【０００２】
非常に多くのタイプの製図用定規が公知であり、また、能動的な（移動可能な）滑り止め手段によって又は受動的な滑り止め手段（摩擦ストリップ）によって、定規に滑り耐性を持たせることも公知である。
【０００３】
定規は、一般に、測定、切断及び製図の手段として使用されており、様々なタイプの筆記又は切断手段が定規と共に使用されており、そのため、定規を有効に下の層に固定することができることが重要である。
【発明の開示】
【０００４】
本発明の目的は、簡単な手段及び処置によって、定規を下の層に関して固定することが容易かつ有効となる、導入部分で記載されているタイプの改良定規を提供することである。
【０００５】
本発明の定規は、定規本体の好ましくは一つ以上の部分は、定規が下の層に関して固定されるように定規本体の圧縮変形で下の層と摩擦係合するのに適した滑り止め手段を備えていることを特徴とする。これにより、簡単な手段及び処置で、単に定規本体の圧縮変形によって、容易かつ有効に下の層に関して固定されうる、定規が実現される。
【０００６】
本発明の好適な実施例の定規において、滑り止め処置は、好ましくは、定規本体の一部分の上側面及び下側面の両方に設けられている比較的に軟らかい摩擦材によって構成されており、それは、定規と一体となっており、その摩擦材の一部分は、定規本体の一部分における複数の穴又は凹所を貫通している。所望の摩擦作用は、硬い摩擦材及び軟らかい材料それぞれの使用によって、成形又は押出し処理によって実現することができる。硬い摩擦材は、プラスチック又は金属としうる。
【０００７】
本発明の別の好適な実施例の定規において、滑り止め手段は、好ましくは定規本体の上側面及び下側面の両方に設けられている比較的に軟らかい材料で構成されており、この材料は、摩擦材の複数の突出部分を定規本体の一つ以上の部分内の複数の穴又は凹所を通して押圧することによって定規に固定される。
【０００８】
本発明の特定の簡単な実施例において、滑り止め手段は、定規本体の一部分の下側面のみに設けられておりかつ適切に定規に固定されている比較的に軟らかい摩擦材によって構成されている。摩擦材は、接着剤、接着テープ又は釘によって定規本体に接続されうる。あるいは、摩擦材は、定規本体の下側面において、特別な皿穴保持トラック内に埋め込まれうる。さらなる別の実施例において、定規は、定規本体の柔軟でない長手軸線方向縁部との間で挿入されかつその縁部を接続している、比較的に軟らかい摩擦材の中央の長手軸線方向ストリップで構成されうる。それにより、定規は、中央の長手軸線方向摩擦体を有する一体の弾性ユニットに見える。
【０００９】
本発明の定規は、さらに、ほぼ三角形状断面を有するストリップによって構成され、底に向けて丸く傾斜した端部近傍において、定規本体の一部分の下側面において、ストリップは、ほぼ定規全体に沿って延びているように整形されうる。
【００１０】
本発明のさらなる好適な実施例は、長手軸線方向側縁から延びている、定規本体は、その縁が、使用状況において、能動的な製図、切断及び／又は測定縁を構成しており、第二長手軸線側縁付近に向けて、わずかに傾斜している軌道を有し、すなわち、定規本体の下側面と下の層との間の距離を増し、定規は、第二長手軸線側縁の近傍において底に向けて、定規本体の一体部分を構成している長手軸線方向支持ストリップを有し、滑り止め手段は、二つの長手軸線方向側縁のほぼ中間に設けられているように適切に整形されている。
【００１１】
非常に一般的に、本発明の定規は、定規本体の弾性が、材料の選択に加え、材料厚さ、及び／又は、定規本体の中央部内の穴又は凹所の数及び寸法によって決定されるように整形されている。さらに、定規本体の弾性は、好ましくは、定規本体の中央部内の穴又は凹所の反対における材料の局地的な厚さの低減によって形成されうる。
【００１２】
特別に簡単な方法で、本発明の定規の所望の作用は、指先を受容することが意図されている多数の穴又は凹所によって構成されている滑り止め手段によって実現されうる。この指先の腹は、定規の圧縮変形により、下の層と摩擦係合させる。
【００１３】
あるいは、本発明の定規は、定規本体の好ましくは中央部の下側面上に設けられている粗い及び／又は溝付き面によって構成されるように整形される。したがって、定規は、可動部を持たず、一つの部分で構成されている。
【００１４】
本発明は、さらに、定規本体の一つ以上の中央部分が、下の層から一定距離離れて又は下の層と接触して配置される、横断面又は横断形状及び長手断面又は長手軸線方向形状を有する長い本体を有し、定規は、その材料及び／又は横断形状及び長手軸線方向形状により、一定の弾性を有する、特にボード用の定規において、定規本体の一つ以上の部分は、定規が下の層に関して固定されるように、定規の圧縮変形によって、下の層と摩擦係合を形成するのに適している滑り止め手段を備えている、特にボード用の定規に関する。
【００１５】
これにより、いわゆるボード用測定定規が実現されており、この定規は、机用定規の原理と同じ原理で製造されているが、この定規は、さらに、定規本体の長手軸線方向における中央部分が、下の層（ボード）から一定距離で又はボードと接触して配置されうる長手軸線方向断面又は長手軸線方向形状を有し、ボードとの摩擦係合が、定規本体の圧縮変形によって形成される。
【００１６】
本発明は、添付図面を参照して以下に詳細に説明される。
【発明を実施するための最良の形態】
【００１７】
図１〜７に示す定規２は、わずかに凸状に湾曲した上側面６を有する定規本体４を備えており、この上側面６において、長手軸線方向中央キャビティ８には多数の穴１０が形成されている（図５、６、７）。定規本体４は、わずかに凹状に湾曲した下側面１２上において、長楕円形中央キャビティ１４を有し、複数の穴１０がこのキャビティ１４に出ている。
【００１８】
定規本体４の上側面６及び下側面１２それぞれにおけるキャビティ８及び１４には、比較的に軟らかい材料製の摩擦体１６（図６及び７に別個に示されている）が充填されている。摩擦体１６は、定規２の上側面上の摩擦体１６が中央の長手軸線方向能動面１８を形成するように、定規２の下側面上の摩擦体１６は中央の長手軸線方向摩擦ストリップ２０を形成しており、このストリップ２０は、図３における矢印２２で示されるように、定規本体４の圧縮変形によって、下にある層２４に対して押圧されるように好ましくは定規本体４上に成形されている。定規本体４は一定の弾性を有し、それにより、後側縁２８における長手軸線方向支持ストリップ２６によって下の層２４から持ち上げられていた摩擦ストリップ２０は、定規２の能動的な製図、切断、又は測定縁３０の使用中において、下の層２４に関して定規２をしっかりと固定するために、作動面１８に対する比較的に軽い圧力で、下の層２４に対して押されうる。
【００１９】
図８〜１０は、別実施例の穴、キャビティ及び凹所を有する本発明の定規を示している。図８は、中央溝部の底部において多数の穴３４を有している定規３２を示している。図９は、より鋭利な穴又は凹所３８を有し、かつ非常に少量の材料しか摩擦体１６の反対側に残されていない、すなわち、定規３６の弾性がより大きくなっている、定規３６を示している。図１０は、定規の上側面の中央の長手軸線方向溝部の底部において楕円又は長楕円形穴又は凹所４２を有する定規４０を示している。
【００２０】
図１１は、穴又は凹所４６の中に指を置くことによって、穴又は凹所４６を通して下の層と係合することによって指の腹が摩擦体として機能するように、穴又は凹所４６が機能する、摩擦体が穴又は凹所４６によって交換された、別実施例の定規４４を示している。定規４４は、わずかに湾曲した凸状上側面４８と、わずかに湾曲した凹状下側面５０とを有している。
【００２１】
図１２は、一実施例のボード用の１メートル定規の端部を示している。定規本体５４の中央部分が、下の層（ボード）から一定距離で配置されかつ下の層に対して押圧されうる長手軸線方向断面又は長手軸線方向形状を、定規本体５４は長手軸線方向において有する。
【００２２】
図１３は、別実施例のボード用定規５６を示している。おそらく、より明確に見られうるように、定規５６は、その中央の本体部が下の層（ボード）から一定距離に配置されかつ下の層と接触しうる湾曲した軌道を長手軸線方向において有している。
【００２３】
図１４ａ及び１４ｂは、別実施例の机又はテーブル用の定規５８を示している。定規５８は両面あり、すなわち、定規５８には、定規５８の本体部６０が比較的に広い横断方向ヘッド部６４の下の狭部６２がある釘状断面を有するという点で、相互に異なる測定システムを設けることができる。そのため、本体部６０には、２つの側面それぞれにおいて、長手軸線方向滑り止め体６６が設けられており、本体部は、選択的な側面から定規本体６０の圧縮動作によってボード又は机の表面に対して押圧されることができる。換言すると、長手軸線方向狭部６２によって、好ましくは長手軸線に関して対称な定規本体６０の所望の弾性が実現される。
【００２４】
図１５ａ、１５ｂ、１５ｃは、机又はテーブル用の本発明の別実施例の定規６８を示している。定規本体の弾性又は弾力作用は、定規６８の２つの長手軸線方向ウィング７２、７４の間における、長手方向縁曲げ部７０によって実現されている。すなわち、定規ウィング７２は、支持面に対して当接するのに適しており、その一方で、定規ウィング７４は、定規ウィング７２に関して鋭角を有し、定規ウィング７４に関して一定の弾力作用を有している。定規ウィング７４には、その内側面７６において、その反対で定規ウィング７２内で整形されている支持面貫通穴８０に対して押圧されることが意図されている多数の突出滑り止め体７８が設けられている。好ましくは、定規ウィング７４の上側面には、図１５ｃに示されるように、長手軸線方向の閉じた縁７０に沿って測定マーク又は測定インディケータ８２が設けられているが、定規本体の反対側における両方の長手軸線方向側縁に、測定マーク及び／又は測定インディケータが設けられるのを妨げない。定規６８は、刻印に適しておりかつ比較的に安価な、例えば、プラスチック、金属、又はラミネート紙などの比較的に薄いシート材で製造することができる。
【００２５】
図１６ａ、１６ｂ及び１６ｃは、机又はボード用の本発明の対応の別実施例の定規８４を示している。定規８４は、相互に縁に沿って曲げられた２つの定規ウィング８６及び８８を有する。これら定規ウィング８６、８８は、互いに反対であり、かつ穴９０を有するように整形されており、上側定規ウィング８８を、定規ウィング８６に対して当接するように下方に押圧することができ、それにより、前述のように、使用者の指先を穴９０を通して導入されることができ、指先の腹が、穴９０を通して支持面に対して押圧される、滑り止め体を構成している。
【００２６】
図１７ａ、１７ｂ、１７ｃに示すさらに別実施例の定規９２では、下側定規ウィング９４は、上側定規ウィング９６よりもかなり狭く整形されている。この上側定規ウィング９６には、内側面９８に沿った外側長手軸線方向縁領域に沿って、定規ウィング９６を下方に押圧することによって支持面に対して押圧されるのに適している長手軸線方向摩擦体１００が設けられている。あるいは、摩擦体１００は、先行実施例を参照して、代わりに、より顕著なピンヘッド形状である滑り止め体で構成することができ、又は指穴で構成することができ、それにより、指先の腹が滑り止め体を構成しうる。
【００２７】
最後に、定規と支持面の間の摩擦係合が定規の一部分の圧縮変形によって実現される、定規を特定する、本発明の第一の態様は、本発明の範囲内においていかなる他の方法でも実現することができるということが指摘されるべきである。おそらく、筆記用縁の反対側の非弾性材料製の定規本体には、弾性材料製の長手軸線方向摩擦唇部を設けることができ、この摩擦唇部は、定規本体に関して凹状に延びており、それにより、摩擦唇部は、摩擦唇部に圧力がかからない状態で、支持面から持ち上げられており、摩擦唇部は、圧縮動作によって、支持面に対して完全に又は部分的に押圧されうる。
【図面の簡単な説明】
【００２８】
【図１】本発明の好適な実施例の机用の定規の斜視図を示している。
【図２】下から見た、図１に示す定規の斜視図を示している。
【図３】図１に示す本発明の定規の断面図を示している。
【図４】図１に示す本発明の定規の端部の斜視図を示している。
【図５】摩擦体のない図１に示す本発明の定規の端部の斜視図を示している。
【図６】図１に示す定規の端部及び対応の摩擦体の斜視図を示している。
【図７】図１を参照して、下から見た定規及び対応の摩擦本体の斜視図を示している。
【図８】本発明の別実施例の定規の端部の斜視図を示している。
【図９】本発明のさらなる実施例の定規の端部の斜視図を示している。
【図１０】本発明のさらに別の実施例の定規の端部の斜視図を示している。
【図１１】本発明のさらに別の実施例の机用定規の端部の斜視図を示している。
【図１２】本発明の一実施例のボード用定規の端部の斜視図を示している。
【図１３】本発明の別実施例のボード用定規の端部の斜視図を示している。
【図１４ａ】一端部から見た、本発明のさらに別の実施例の定規の平面図を示している。
【図１４ｂ】本発明のさらに別の実施例の斜視図を示している。
【図１５ａ】本発明のさらに別の実施例の定規の断面図を示している。
【図１５ｂ】その長手軸線方向側から見た、図１５ａを参照した、定規の斜視図を示している。
【図１５ｃ】反対の長手軸線方向側から見た、図１５ｂを参照した、定規の斜視図を示している。
【図１６ａ】本発明のさらに別の実施例の定規の断面図を示している。
【図１６ｂ】その長手軸線方向側から見た、図１６ａを参照した、定規の斜視図を示している。
【図１６ｃ】反対の長手軸線方向側から見た、図１６ｂを参照した、定規の斜視図を示している。
【図１７ａ】一端部から見た、本発明のさらに別の実施例の定規の図を示している。
【図１７ｂ】その長手軸線方向側から見た、図１７ａを参照した、定規の斜視図を示している。
【図１７ｃ】反対の長手軸線方向側から見た、図１７ｂを参照した、定規の斜視図を示している。
【図１】
2005516806.tif 000003
【図２】
2005516806.tif 000004
【図３】
2005516806.tif 000005
【図４】
2005516806.tif 000006
【図５】
2005516806.tif 000007
【図６】
2005516806.tif 000008
【図７】
2005516806.tif 000009
【図８】
2005516806.tif 000010
【図９】
2005516806.tif 000011
【図１０】
2005516806.tif 000012
【図１１】
2005516806.tif 000013
【図１２】
2005516806.tif 000014
【図１３】
2005516806.tif 000015
【図１４ａ】
2005516806.tif 000016
【図１４ｂ】
2005516806.tif 000017
【図１５ａ】
2005516806.tif 000018
【図１５ｂ】
2005516806.tif 000019
【図１５ｃ】
2005516806.tif 000020
【図１６ａ】
2005516806.tif 000021
【図１６ｂ】
2005516806.tif 000022
【図１６ｃ】
2005516806.tif 000023
【図１７ａ】
2005516806.tif 000024
【図１７ｂ】
2005516806.tif 000025
【図１７ｃ】
2005516806.tif 000026
【手続補正書】
【提出日】平成16年4月7日(2004.4.7)
【手続補正１】
【補正対象書類名】特許請求の範囲
【補正対象項目名】請求項２
【補正方法】変更
【補正の内容】
【請求項２】
前記滑り止め手段は、好ましくは前記定規本体の中央の前記一つ以上の部分の上側面及び下側面の両方に設けられている比較的に軟らかい摩擦材で構成されており、前記摩擦材は、成形によって前記定規と一体にされていることを特徴とする請求項１に記載の定規。
【手続補正２】
【補正対象書類名】特許請求の範囲
【補正対象項目名】請求項７
【補正方法】変更
【補正の内容】
【請求項７】
前記定規本体の断面は、使用状況において前記定規の能動的な製図縁及び／又は切断縁及び／又は測定縁を構成している、長手軸線方向側縁から延びており、前記定規本体の断面は、第二長手軸線方向側縁に向けて、わずかに傾斜した軌道を有し、すなわち、前記定規本体の下面と下の層との間の距離が増加しており、前記定規は、前記第二長手軸線方向側縁の近傍において、前記定規本体の一体部分を構成している長手軸線方向支持ストリップを有し、前記滑り止め手段は、２つの前記長手軸線方向側縁のほぼ中間に設けられていることを特徴とする請求項１又は６のいずれか１項に記載の定規。
【手続補正３】
【補正対象書類名】特許請求の範囲
【補正対象項目名】請求項１０
【補正方法】変更
【補正の内容】
【請求項１０】
前記滑り止め手段は、指先を受け入れるのに適した多数の穴によって構成されており、指先の腹は、前記定規の前記圧縮変形によって、前記下の層と摩擦係合することを特徴とする請求項１に記載の定規。
【手続補正４】
【補正対象書類名】特許請求の範囲
【補正対象項目名】請求項１２
【補正方法】変更
【補正の内容】
【請求項１２】
定規本体の一つ以上の中央部分が、ボード面から一定距離離れて又はボード面と接触して配置される、横断面又は横断形状及び長手断面又は長手軸線方向形状を有する長い本体を有し、前記定規は、その材料及び／又は前記横断形状及び長手軸線方向形状により、一定の弾性を有する、特にボード用の定規において、
前記定規本体の前記一つ以上の部分は、前記定規が前記ボード面に関して固定されるように、前記定規の圧縮変形によって、前記ボード面と摩擦係合を形成するのに適している滑り止め手段を備えている、特にボード用の定規。
【手続補正５】
【補正対象書類名】明細書
【補正対象項目名】０００６
【補正方法】変更
【補正の内容】
【０００６】
本発明の好適な実施例の定規において、滑り止め処置は、好ましくは、定規本体の一部分の上側面及び下側面の両方に設けられている比較的に軟らかい摩擦材によって構成されており、摩擦材は、定規と一体となっており、その摩擦材の一部分は、定規本体の一部分における複数の穴又は凹所を貫通している。所望の摩擦作用は、硬い摩擦材及び軟らかい材料それぞれの使用によって、成形又は押出し処理によって実現することができる。硬い摩擦材は、プラスチック又は金属としうる。
【手続補正６】
【補正対象書類名】明細書
【補正対象項目名】００１０
【補正方法】変更
【補正の内容】
【００１０】
本発明のさらなる好適な実施例は、長手軸線方向側縁から延びている、定規本体の断面は、その縁が、使用状況において、能動的な製図、切断及び／又は測定縁を構成しており、第二長手軸線側縁付近に向けて、わずかに傾斜している軌道を有し、すなわち、定規本体の下側面と下の層との間の距離を増し、定規は、第二長手軸線側縁の近傍において底に向けて、定規本体の一体部分を構成している長手軸線方向支持ストリップを有し、滑り止め手段は、二つの長手軸線方向側縁のほぼ中間に設けられているように適切に整形されている。
【手続補正７】
【補正対象書類名】明細書
【補正対象項目名】００１１
【補正方法】変更
【補正の内容】
【００１１】
非常に一般的に、本発明の定規は、定規本体の弾性が、材料の選択に加え、材料厚さ、及び／又は、定規本体の中央部内の穴の数及び寸法によって決定されるように整形されている。さらに、定規本体の弾性は、好ましくは、定規本体の中央部内の穴又は凹所の反対における材料の局地的な厚さの低減によって形成されうる。
【手続補正８】
【補正対象書類名】明細書
【補正対象項目名】００１４
【補正方法】変更
【補正の内容】
【００１４】
本発明は、さらに、定規本体の一つ以上の中央部分が、ボード面から一定距離離れて又はボード面と接触して配置される、横断面又は横断形状及び長手断面又は長手軸線方向形状を有する長い本体を有し、定規は、その材料及び／又は横断形状及び長手軸線方向形状により、一定の弾性を有する、ボード用の定規において、定規本体の一つ以上の部分は、定規がボード面に関して固定されるように、定規の圧縮変形によって、ボード面と摩擦係合を形成するのに適している滑り止め手段を備えている、ボード用の定規に関する。


【国際調査報告】
2005516806.tif 000027
2005516806.tif 000028
2005516806.tif 000029